Podtech/llm-jp-corpus-v4-ja_patent huggingface dataset:
(57)【要約】      （修正有）【課題】引き違い戸形式の既存の窓枠に簡単に嵌め込めてしっかり固定でき、窓からの転落を防止する窓枠用格子を提供する。【解決手段】引き違い戸形式の窓の外側の窓枠の敷居と鴨居の間に嵌め込んで使用する金属製の格子で、上桟１と下桟２を差し渡して金属製のパイプ３，３′が一定間隔を置いて取り付けてあり、上桟と下桟の断面形状は窓枠の敷居と鴨居の断面に嵌合する形状にしておく。【選択図】図１
0003163676.tif 000002
【実用新案登録請求の範囲】
【請求項１】
引き違い式窓の窓枠に嵌めて使用する金属製の格子で、その構造は高さ３〜５ｃｍ、厚さ１．５〜３ｃｍ、長さ６０〜１００ｃｍの金属製の上桟と下桟の間を繋ぐように、太さ１〜２ｃｍの金属製の縦棒を桟に対して垂直に１０〜１２ｃｍの間隔を置いて平行に、上桟と下桟に穿った穴に差し込んで固定するようにしてあり、且つ上桟と下桟の断面形状は窓枠の敷居と鴨居の形状に嵌合するような形状にしてあることを特徴とする窓枠用格子。
【請求項２】
縦に配置してある金属製の棒の間をぬって、上桟の２箇所に上桟を貫通するねじ穴が切り通してあり、この窓枠用格子を窓枠に嵌めた後、ビスをそのねじ穴にねじ込んでビスの先端が鴨居まで達して圧迫するようにして、この窓枠を外れないように固定できることを特徴とする請求項１記載の窓枠用格子。
【請求項３】
金属性の縦棒が金属パイプであることを特徴とする請求項１記載の窓枠用格子。
【考案の詳細な説明】
【技術分野】
【０００１】  家屋の窓枠に取り付けて使用する安全資材に関する。
【背景技術】
【０００２】  安全柵や格子の無い窓の場合、子供が弾みで窓から跳び出して地上に落下する事故が発生する危険性があった。【０００３】  窓からの転落防止のために窓の外に金属製の柵、あるいは格子を取り付けておくのが良い。しかし大部分の窓にはそのような安全策が採られていないのが現状である。【０００４】  また最初から取り付けてある場合は確かに安全であるが、簡単に取り外したり、取り付けたりできず、不便な場合があった。
【考案の開示】
【考案が解決しようとする課題】
【０００５】  既存の窓枠に簡単に嵌め込んでしっかり固定でき、窓からの転落を防止するための格子のような部材が望まれていた。
【課題を解決するための手段】
【０００６】  本考案は上記問題に鑑みてなされたものであり、引き違い戸形式になっている窓の外側の窓枠の敷居と鴨居を利用して、そこに簡単に嵌め込め、嵌め込んだ後それが容易には外せないように固定できる仕掛けが施してある窓枠用格子を提供する。
【考案の効果】
【０００７】  上記考案によれば、既存の窓枠に簡単に嵌め込んで、子供が弾みで窓から飛び出すのを防げるので、安全に寄与することができる。
【考案を実施するための最良の形態】
【０００８】  引き違い戸形式の外側の窓枠の敷居と鴨居の間に嵌め込んで使用する金属製の格子で、金属製の上桟と下桟の間を差し渡して金属製のパイプが一定間隔を置いて取り付けてあり、上桟と下桟の断面形状は窓枠の敷居と鴨居の断面に嵌合する形状にしておく。
【実施例１】
【０００９】  本考案の実施例を図面に基づいて説明すると、図１は窓枠用格子の全体像であり、高さ１ｍ、幅７０ｃｍで、上桟１と下桟２の間にパイプ３・・３’を１２ｃｍの等間隔で平行に差し渡してある。【００１０】  上下の桟を少し詳しく表すと、図２ａは上桟１あたりの部分断面図であり、鴨居４の鴨居用突起レール５を嵌め込める幅を持った上桟用の溝６が掘ってある。  また図２ｂは下桟２あたりの部分断面図であり、敷居７の敷居用突起レール８をまたいで嵌めることのできる幅を持った下桟用の溝９が掘ってある。【００１１】  窓枠用の格子を窓枠に嵌め込むためには、まず窓枠用格子の上桟用の溝６を鴨居用突起レール５に嵌め、次に下桟用の溝９を敷居用突起レール８に嵌めるには、窓枠用の格子を持ち上げ、下桟２の外半分が敷居用突起レール８を越える必要がある。上桟１と鴨居４の間にはそれを妨げないだけの隙間１０をとり、上桟用の溝６の深さもそれに準じて隙間１０に対応する分の深さを加味しておく。【００１２】  図２ａ，ｂにあるように、上桟１と下桟２のパイプを嵌め込むところには、すべてのパイプ３を嵌め込むためのパイプ用穴１１、１２が掘り込んである。さらに上下桟とパイプを固定するために上下桟の左右両端のパイプ用穴１１と１２の横には、パイプ留め用ビス穴１３，１４を穿けておく。全パイプをパイプ用穴に差し込んだ後、両端のパイプ３、３’の上下のビス穴１３，１４にパイプ止め用ビスをねじ込んで止めると、全パイプが抜けなくなる。【００１３】  窓枠に嵌め込んだ窓枠用格子を簡単に外せないようにする方法が図３に示してある。図３は窓枠上部の鴨居４と窓枠用格子の上桟１の角の部分を表している。鴨居用突起レール５と上桟用溝６の間には隙間１０がある。パイプ３と隣り合わせのパイプの間の上桟には上桟用溝６の底に達する貫通ビス穴１５を穿けて置き、窓枠用格子を窓枠に嵌め込んだ後、ビス穴１５にビスをねじ込んでビスの先端が鴨居用突起レール５に達するように締め付けておくと、窓枠用格子は上に持ち上げられなくなるので、窓枠用格子は外せなくなる。
【実施例２】
【００１４】  図４には敷居と鴨居が突起レールではなく溝になっている場合、それに嵌合するための上、下桟の形状の例を示してあるが、実施例１の場合と類似であるので詳細な説明は省く。
【産業上の利用可能性】
【００１５】  以上説明したように本考案の窓枠用格子を使用すれば既存の引き違い窓枠に間単に装着でき、固定できるので、窓からの転落を防止することができる。
【図面の簡単な説明】
【００１６】
【図１】窓枠用格子の全体像。
【図２】ａ  上桟の部分断面図。ｂ  下桟の部分断面図。
【図３】鴨居と窓枠用格子の上桟の角の部分。
【図４】敷居と鴨居が溝になっている場合の上・下桟あたりの部分断面図。
【符号の説明】
【００１７】  １上桟、
２下桟、
３，３’パイプ、
４鴨居、
５鴨居用突起レール、
６上桟用の溝、
７敷居、
８敷居用突起レール、
９下桟用の溝、
１０隙間、
１１，１２パイプ用穴、
１３，１４パイプ止め用ビス穴、
１５格子固定用ビス穴
【図１】
0003163676.tif 000003
【図２】
0003163676.tif 000004
【図３】
0003163676.tif 000005
【図４】
0003163676.tif 000006
(57)【要約】      （修正有）【課題】屋内、屋外を問わずに、簡単に運動することができる運動靴を提供する。【解決手段】運動靴の底の部分を半楕円球の形にする。【選択図】図１
0003163682.tif 000002
【実用新案登録請求の範囲】
【請求項１】
運動靴の底の部分を、半楕円球の形にする、この靴を履いて、つま先やかかとで歩く事で、坂の上り下りの運動になると共に、足首を左右にねじったり、靴の底をコロコロ転がす事で、下半身の運動になる、又バランスを取りながら歩く事で脳の活性化にもつながる、コロコロ運動靴。
【考案の詳細な説明】
【技術分野】
【０００１】  本考案は、何処でも坂の上り、下りの運動が出来る。
【背景技術】
【０００２】  近くに運動場がない人や、雨の日などに屋内でも運動が出来るように考案した。
【考案が解決しようとする課題】
【０００３】  普段余り運動をする機会のない方でも、この靴を履く事で、何処でも簡単に運動をする事が出来る。
【課題を解決するための手段】
【０００４】  この靴を履き、つま先や、かかとで歩く事で、運動不足の解消が出来る。。
【考案の効果】
【０００５】  本考案の靴を履き、つま先や、かかとで歩いたり、左右に傾ける事で、足首や下半身の鍛錬になる。
【考案を実施するための最良の形態】
【０００６】  この靴を履き、屋内、屋外を問わず、つま先歩き、かかと歩きをすることで、坂の上り下りの運動できるとともに、左右に傾ける事で足首だけでなく下半身全体の運動が出来日頃の運動不足が解消出来る。
【図面の簡単な説明】
【０００７】
【図１】本考案の、コロコロ運動靴の図面である。
【符号の説明】
【０００８】  １  横から見た図面
２  前から見た図面
【図１】
0003163682.tif 000003
(57)【要約】      （修正有）【課題】ほとんど全てのサイズの鍋に使用出来る、麺類や野菜等を茹でる時におこる、ふきこぼれを防止する器具であり、多目的に利用できる調理用ふきこぼれ防止具を提供する。【解決手段】ふきこぼれ防止具１は底の平らな半球状で、開口部に舌状突起を、その中央に箸立て穴を設け、半球状の胴部に穴２を複数形成する。使用に当っては、ふきこぼれ防止具１を鍋の中央底に開口部が下になる様に裏返して置く。沸騰時には、ふきこぼれ防止具１に空けた穴２により、沸騰水流が内向きに発生するので、ふきこぼれを防止できる。また、該ふきこぼれ防止具１を取り出し、開口部を上面にして置けば、箸立てや、お玉置きにすることができる。【選択図】図３
0003163690.tif 000002
【実用新案登録請求の範囲】
【請求項１】
鍋の中央底に開口部を下に設置して使用する、底が平らな半球状の形状であり、開口部の一部に舌状突起を水平に設けて、お玉の先を掛けて立てておけるお玉置きを設け、その舌状突起の中央に箸立て用の穴を開けてあって、半球状の胴部に複数の穴を有することを特徴とする調理用ふきこぼれ防止具。
【考案の詳細な説明】
【技術分野】
【０００１】  本考案は、うどん・そば・ラーメン等の麺類や野菜等を茹でる時に鍋から沸騰したお湯がふきこぼれるのを防止する、ふきこぼれ防止具に関するものである。
【背景技術】
【０００２】  うどん・そば・ラーメン等の麺類や野菜等を茹でる時に鍋から沸騰したお湯がふきこぼれることがあり、火が消えたり、レンジ周りが汚れたりして、危険であり掃除が面倒でもある。ふきこぼれを防ぐ従来の方法としては、差し水をしたり弱火にしたりして、一時的に温度を下げるか、容量の大きな鍋を使用する等の方法が知られている。
また、下記特許文献１〜３のようなふきこぼれ防止器具が提案されている。しかし、従来の器具はふきこぼれ防止機能のみ、すなわち、単一の目的のみに使用するものであった。
【先行技術文献】
【特許文献】
【０００３】
【特許文献１】特開２０１０−０４２１００
【特許文献２】実開  昭６３−０３７１３９
【特許文献３】特開  平１０−０８５１３８
【考案の概要】
【考案が解決しようとする課題】
【０００４】  本考案の目的は、ほとんど全てのサイズの鍋に使用できる、麺類や野菜等を茹でる時におこるふきこぼれを防止する器具であり、この器具にお玉置き、箸立てを備えたことにより、多目的に利用できる調理用ふきこぼれ防止具を提供することである。
【課題を解決するための手段】
【０００５】  本考案のふきこぼれ防止具は、底が平らな半球状で、胴部に複数の穴を形成しており、開口部に舌状突起を設けてお玉の先を引っ掛けることでお玉置きとなり、また、舌状突起の中央に穴を開けて箸を差すことで箸立てとなる。
【考案の効果】
【０００６】  上述の様に、ふきこぼれを防止する事により、ガスや時間の節約になり火災の危険も軽減されて、安全で経済的な面でも役立っている。更に、開口部の一部に舌状突起を設けて、お玉置きや突起中央に穴を開けた箸立ての機能もあり１台３役で便利ものである。
【図面の簡単な説明】
【０００７】
【図１】本考案の調理用ふきこぼれ防止具の平面図である。
【図２】本考案の調理用ふきこぼれ防止具の断面図である。
【図３】本考案の調理用ふきこぼれ防止具の使用方法図である。
【図４】本考案の調理用ふきこぼれ防止具をお玉置きとして使用した場合の斜視図である。
【図５】本考案の調理用ふきこぼれ防止具を箸立てとして使用した場合の斜視図である。
【考案を実施するための形態】
【０００８】  以下、図面に従って一実施例を説明する。
図３のように、麺類や野菜等を茹でる適量の水を鍋に入れて、本考案のふきこぼれ防止具（１）を鍋の中央底に開口部が下になるように裏返して置き、火に掛ける。水が沸いてきたら鍋の蓋を外したままにして、野菜などの食材を入れる。
更に沸騰しても、ふきこぼれ防止具（１）に空けた穴（２）により、沸騰水流が内向きになるので（７）、ふきこぼれを防止できる。
【０００９】  また図４に示すように、舌状突起（３）にお玉（８）の先を引っ掛けることで、ふきこぼれ防止具（１）をお玉置きにすることができる。
【００１０】    更に図５に示すように、舌状突起（３）に空けた箸立て穴（４）に箸（９）を差すことで、ふきこぼれ防止具（１）を箸立てにすることができる。
【００１１】  実際に陶器で本考案を試作してテストをした結果、ふきこぼれを防止している。
ふきこぼれ防止具（１）は、直径１２ｃｍ〜１３ｃｍ程度、厚さ約７ｍｍ程度、深さ３〜４ｃｍ位程度。穴（２）は、直径５〜１０ｍｍ程度で、８箇所以上必要数設ける。
ガス窯で７００〜８００℃位で素焼きし、釉薬を掛けて１，２４０〜１，２５０℃で本焼成し、冷却後、窯出しして完成。重さは約２００ｇである。
【００１２】  本考案のふきこぼれ防止具の素材は陶器に限定せず、磁器や耐熱粘土及び鉄、銅、アルミニウム、ステンレス、アルミ合金、耐熱ガラス等でプレス成型や鋳型を用いた鋳込み成型及び石膏型で作る事が出来る。但し、気泡を含む沸騰水流で動かない程度の重さ（約２００〜３００ｇ位）は必要である。
【符号の説明】
【００１２】  １：ふきこぼれ防止具          ２：穴            ３：舌状突起
４：箸立て穴                  ５：鍋            ６：火
７：沸騰水流の流れ方          ８：お玉          ９：箸
【図１】
0003163690.tif 000003
【図２】
0003163690.tif 000004
【図３】
0003163690.tif 000005
【図４】
0003163690.tif 000006
【図５】
0003163690.tif 000007
(57)【要約】【課題】アート感覚で、立体感や手触り、風合を高めて華やかさや高級感を醸し出すことができるようになした皮革素材の加飾構造を提供する。【解決手段】先ず、柔軟な皮革素材１の表面に、適宜の種類の羽毛２、２、２を適宜の位置及び向きに配置する。次に、その上に、下面に部分的に感熱接着剤３により適宜のパターンの模様を描画した熱転写シート４を被せる。次に、該熱転写シート４の上から熱盤５により加圧、加熱して感熱接着剤３を皮革素材１及び羽毛２に転着する。最後に前記熱転写シート４を剥離する。【選択図】図１
0003163254.tif 000002
【実用新案登録請求の範囲】
【請求項１】
柔軟な皮革素材の表面に、適宜の種類の羽毛を適宜の位置及び向きに配置し、その上に、下面に部分的に感熱接着剤により適宜のパターンの模様を描画した熱転写シートを被せ、更に該熱転写シートの上から加圧、加熱して感熱接着剤を皮革素材及び羽毛に転着し、最後に前記熱転写シートを剥離してなる皮革素材の加飾構造。
【請求項２】
柔軟な皮革素材が、なめした皮革素材である請求項１記載の皮革素材の加飾構造。
【請求項３】
羽毛が、鳥の羽である請求項１又は２記載の皮革素材の加飾構造。
【考案の詳細な説明】
【技術分野】
【０００１】
本考案は皮革素材の加飾構造に関するものである。
【背景技術】
【０００２】
鹿や牛、馬等の皮革をなめした皮革素材は、そのままの色や着色を施されて鞄や財布、名刺入れ、その他の雑貨用の素材として用いられている。
【０００３】
しかし、従来の皮革素材は、平面的であって装飾性に乏しく、華やかさや高級感を醸し出すことができるものが存在しなかった。
【考案の概要】
【考案が解決しようとする課題】
【０００４】
本考案は上記の点に鑑みなされたものであって、アート感覚で、立体感や手触り、風合を高めて華やかさや高級感を醸し出すことができるようになした皮革素材の加飾構造を提供しようとするものである。
【課題を解決するための手段】
【０００５】
而して、本考案の要旨とするところは、柔軟な皮革素材の表面に、適宜の種類の羽毛を適宜の位置及び向きに配置し、その上に、下面に部分的に感熱接着剤により適宜のパターンの模様を描画した熱転写シートを被せ、更に該熱転写シートの上から加圧、加熱して感熱接着剤を皮革素材及び羽毛に転着し、最後に前記熱転写シートを剥離してなる皮革素材の加飾構造にある。
【０００６】
また、上記構造において、柔軟な素材としては、なめした皮革素材か好ましい。
【０００７】
また、上記構造において、羽毛としては、鳥の羽が好ましい。
【考案の効果】
【０００８】
本考案によれば、アート感覚で、立体感や手触り、風合を高めて華やかさや高級感を醸し出すことができるようになした皮革素材の加飾構造を提供することができるものである。
【図面の簡単な説明】
【０００９】
【図１】本考案に係る加飾構造の説明図であり、皮革素材の表面に羽毛を配置し、熱転写シートを上に被せる状態を示すものである。
【図２】図１に示す状態を角度を変えて直角方向から看た状態を示すものである。
【図３】本考案に係る加飾構造の一例を示す部分拡大平面図である。
【図４】図３に示した加飾構造の一部拡大して示した斜視図である。
【考案を実施するための形態】
【００１０】
以下、本考案の実施形態について、図面を参照して説明する。
【００１１】
先ず、柔軟な皮革素材１の表面に、適宜の種類の羽毛２、２、２を適宜の位置及び向きに配置する。該柔軟な皮革素材１としては、なめした皮革素材が好ましく、牛や馬の皮でもよいが、特に鹿の皮をなめしたものが最適である。また、羽毛２としては鳥の羽が好ましい。そしてまた、鳥の羽は、形や色の異なる複数の種類の鳥の羽を、適宜の位置及び向きに配置するものである。
【００１２】
次に、上記柔軟な皮革素材１及び羽毛２の上に、下面に部分的に感熱接着剤３により適宜のパターンの模様を描画した熱転写シート４を被せる。尚、該熱転写シート４は例えばポリプロピレンからなるものである。該感熱接着剤３は、加熱により軟化して粘着性を帯び、温度が下がると固化して接着するホットメルト型の感熱接着剤を用いる。また、適宜のパターンの模様としては、図示した例の如く縞模様としたり、図示はしないが色々な形状をしたドットを大小散り散りに配したもの等が好ましい。
【００１３】
次に、前記熱転写シート４の上から熱盤５により加圧、加熱して感熱接着剤３を皮革素材１及び羽毛２に転着する。そして、最後に熱転写シート４を剥離する。これにより羽毛２は皮革素材１の表面に固定される。また、転着された感熱接着剤３は、その転着部分において感熱接着剤３の色に変色して皮革素材１自体の色と異なる色となり、そしてこの異なる色によって感熱接着剤３が施された部分の色が縞模様やドット状の模様となって現れる。且つまた、皮革素材１の感熱接着剤３が転着された部分は羽が露出することが阻まれ、感熱接着剤の施されていない部分は羽が直接露出することになる。したがって、この露出した羽の部分は直接手に触れることができ、また、パターンの隙間から食み出した羽毛の先端部分等は自然に浮き立った状態となり、立体的な感じになる。
【００１４】
上記実施形態に係る加飾構造の皮革素材１は、図３に示す如く、なめして柔軟性を有する皮革素材（本実施形態では鹿革）１の表面には、感熱接着剤３によって形や色の異なる複数の種類の羽毛（鳥の羽）２、２、２が適宜の位置及び向きに固定される。また、皮革素材１の感熱接着剤３が転着された部分は羽に食い込んで窪み、したがって、凹凸の模様となる。また、固定された羽毛２は、感熱接着剤３が縞模様やドット状の模様であることから、該感熱接着剤３が転着されていない部分は表面に露出した状態である。したがって、この部分は手に触れることができて手触りが良く、またパターンの隙間から食み出した羽毛２の先端部分等は自然に浮き立った状態となり、立体的な感じになる。そしてまた、図示した例に限らず、羽毛２の種類の組み合わせを変え、或いは感熱接着剤３の模様を変え、更には羽毛２の種類と感熱接着剤３の模様との取り合わせを考慮することにより様々なバリエーションが可能となるものである。
【００１５】
而して、本考案に係る加飾構造の皮革素材は、鞄、ポーチ、財布、名刺入れ、小物入れ、ブックカバー、キーホルダー、その他あらゆる雑貨に用いて極めて好適である。
【００１６】
以上の例で示す如く、本考案によれば、アート感覚で、立体感や手触り、風合を高めて華やかさや高級感を醸し出すことができるようになした皮革素材の加飾構造を提供することができるものである。
【符号の説明】
【００１７】
１  柔軟な皮革素材
２  羽毛
３  感熱接着剤
４  熱転写シート
【図１】
0003163254.tif 000003
【図２】
0003163254.tif 000004
【図３】
0003163254.tif 000005
【図４】
0003163254.tif 000006
(57)【要約】      （修正有）【課題】平行に巻かれたバネ状の輪を簡単にルアー等の穴に通して、釣り糸とルアー等をつなげられる様にするつり具を提供する。【解決手段】平行にバネ状に巻かれた輪１を、折り曲げられた先の部分２のように曲げた。ルアー等の輪の部分に、バネ状の輪のはじの曲げられた先を通して、簡単に平行に巻かれたバネを通して釣り糸とルアー等をつなぐ事ができる。【選択図】図１
0003163228.tif 000002
【実用新案登録請求の範囲】
【請求項１】
釣り糸とルアー等をつなぐ平行に巻かれたバネ状の輪のはじを曲げて開いて、ルアーの輪の部分や釣り糸を通しやすくした釣具である。
【考案の詳細な説明】
【考案の詳細な説明】
【考案が解決しようとする課題】
【０００１】  従来、釣り糸とルアーをつなぐ平行に巻かれたバネ状の輪は、はじからはじまで、平行に巻かれている為ルアーの輪の部分を通して釣り糸とルアー等をつなぐ為、バネ状の輪の先がルアー等に通らなくて、苦労していた物を、簡単につなげる様にしようとするものである。
【課題を解決するための手段】
【０００２】  上記目的を達成するために、平行に巻かれたバネ状の輪の両はじを外側に少し曲げ角度をつけた。
【考案の効果】
【０００３】  ルアー等の輪の部分に、バネ状の輪のはじの曲げられた先を通して、簡単に平行に巻かれたバネを通して釣り糸とルアー等をつなぐ事ができる。
【図面の簡単な説明】
【図１】  使用状態を表す斜視図である。
【符号の説明】  １  バネ状に巻かれた輪
２  折り曲げられた先の部分
【図１】
0003163228.tif 000003
(57)【要約】      （修正有）【課題】容易にカードケースをセンサーに当てて認識させることが可能なカードホルダーを提供する。【解決手段】ＩＣチップを埋め込んだカードを収めたケースと、フックパーツを伸縮性のある平ゴム・丸ゴムで接続する。その際、ゴムが最大限伸びる長さと同サイズの筒状の生地で、そのゴムを覆い被せ、カードを収めたケースとフックパーツの部分に接続することにより、持ち歩いているバッグの取っ手の部分や、フックが引っ掛けられる丸管などの部分、または衣服のフックが引っ掛けられる部分（例えば、パンツのベルト通しのループなど）にフックパーツを取り付け、通常はゴム部分が縮んだ状態の長さで取り付けているが、ＩＣチップを埋め込んだカードケースの部分を引っ張ることにより、ゴムが最大限に伸びる長さまで伸びて、認識の専用センサーにかざして当てることが出来、カード本体またはカードを収めたケースを取り出す必要が無くなる。【選択図】図２
0003163221.tif 000002
【実用新案登録請求の範囲】
【請求項１】
ＩＣチップを埋め込んだ電子マネーカードやＩＤカードなどを持ち歩く場合に、カードを収納するカードケースとバッグや衣服に取り付け可能なフックパーツを伸縮性のあるゴムパーツで接続することにより、バッグや衣服に取り付けたままの状態でＩＣ認識センサーにカードケースをかざし当てて認識させることが可能となる。また、ゴムパーツ部分を筒状の生地を覆うことにより、可愛らしいプリント生地や、綺麗な色の生地、ブランドや企業ロゴマークを記した生地を使用することによりお洒落なファッションパーツとしてバッグや衣服に取り付けて使用できる伸び縮みカードホルダー。
【考案の詳細な説明】
【技術分野】
【０００１】  本考案は、伸縮性のある平ゴムまたは丸ゴムをフック（金属製、プラステック製）パーツと電子マネーカードやＩＤカードなどを収めることのできるカードケースを接続し、ゴムが最大に伸びる長さの筒状の生地でゴムを覆いかぶせたカードホルダーに関するものである。
【背景技術】
【０００２】  ＩＣチップを埋め込んだ電子マネーカードやＩＤカードなどを専用のセンサーに当てて認識させる際、首からカードをぶらさげて使用できるもの（例えば、特許文献１参照）や、複数のカードを持ち歩く際に、それぞれのカードが認識できるような構造のＩＣカードケース（例えば、特許文献２参照）は、存在している。
【先行技術文献】
【特許文献】
【０００３】
【特許文献１】  実登第３１１６５２４
【特許文献２】  実登第３１４８４７２
【考案の概要】
【考案が解決しようとする課題】
【０００４】  ＩＣチップ認識の専用センサーにカードをかざし当てる場合、持ち歩いているカバンや服のポケットからカード本体またはカードを収めたケースを取り出してセンサーに当てていた。その取り出す手間がかかる欠点を解決しようとするものである。
【課題を解決するための手段】
【０００５】  ＩＣチップを埋め込んだカードを収めたケースと、フック（金属性、プラステック製）パーツを伸縮性のある平ゴム・丸ゴムで接続する。その際、ゴムが最大限伸びる長さと同サイズの筒状の生地で、そのゴムを覆い被せ、カードを収めたケースとフックパーツの部分に接続することにより、持ち歩いているバッグの取っ手の部分や、フックが引っ掛けられる丸管などの部分、または衣服のフックが引っ掛けられる部分（例えば、パンツのベルト通しのループなど）にフックパーツを取り付け、通常はゴム部分が縮んだ状態の長さで取り付けているが、ＩＣチップを埋め込んだカードケースの部分を引っ張ることにより、ゴムが最大限に伸びる長さまで伸びて、認識の専用センサーにかざして当てやすくなる。
【考案の効果】
【０００６】  上述したように、本考案は、持ち歩くカバンや衣服にフックパーツで取り付けＩＣチップを埋め込んだカードケースを伸縮性のゴムパーツで接続してあることにより、フックパーツとカードケースの接続部分が伸び縮みすることにより、容易にカードケースをセンサーに当てて認識させることが可能になり、携行するＩＣチップを埋め込んだカードをケースから取り出す必要が無く、またバッグや衣服の収納したカードケースを取り出す必要も無く、バッグや衣服に付けた状態のままＩＣ認識のセンサーに当てて認識させることが出来るのである。【０００７】  伸縮性のゴムパーツの部分であるが、平ゴム・丸ゴムをそのまま剥き出しの状態で接続した場合でも機能は果たすが、筒状の生地で覆い被せることによりゴム素材を隠し、可愛らしいプリントされた生地や、綺麗な色の生地、ロゴマークが記された生地などでお洒落なファッションパーツとしての活用も出来るのである。
【図面の簡単な説明】
【０００８】
【図１】  本考案の伸び縮みカードホルダーの構造を示す外観図
【図２】  本考案の伸び縮みカードホルダーの使用形態を示す説明図
【考案を実施するための形態】
【０００９】  以下、本考案の構造と使用形態を図１、図２に基づいて説明する。
【００１０】  図１は、カバンや衣服に接続するフックパーツ（ａ）と伸び縮みする部分（ｂ）とＩＣチップを埋め込んだカードを収納するカードケース（ｃ）が接続された外観図で、図１−１は、ゴム部分が縮んだ状態の図である。図１−２は、伸び縮みする部分（ｂ）の構造説明図で（ｄ）が平ゴムまたは丸ゴムで、そのゴムを覆う筒状の生地（ｅ）である。例えば（ｄ）のゴムが伸縮率３００％の場合には、通常の縮んだ状態の長さを▲１▼とすると▲２▼の長さは３倍の長さで、ｄ−１とｅ−１の部分を合わせｂ−１に接続し、ｄ−２とｅ−２の部分を合わせｂ−２に接続する。図１−３は、ＩＣチップを埋め込んだカードを収納するカードケース（ｃ）を引っ張った状態の外観を表した図である。
【００１１】  図２は、伸び縮みカードホルダーの使用形態を示した説明図で、図２−１は、カバンに取り付けた状態を表した図で、図２−２は、伸び縮みカードホルダーをカバンに取り付けた状態で、ＩＣ認識センサーにカードケース部（ｃ）をかざし当てた状態を表した図である。図２−３は、衣服のズボンのベルトループ部に伸び縮みカードホルダーを取り付けた状態を表した図で、図２−４は、伸び縮みカードホルダーをズボンのベルトループに取り付けた状態で、ＩＣ認識センサーにカードケース部（ｃ）をかざし当てた状態を表した図である。
【図１】
0003163221.tif 000003
【図２】
0003163221.tif 000004
【手続補正書】
【提出日】平成22年7月21日(2010.7.21)
【手続補正１】
【補正対象書類名】実用新案登録請求の範囲
【補正対象項目名】全文
【補正方法】変更
【補正の内容】
【実用新案登録請求の範囲】
【請求項１】
電子マネーカードやＩＤカードなどを収納できるカードケースの上部とバッグや衣服に取り付け可能なフックパーツを伸縮性のあるゴムパーツで接続した伸び縮みカードホルダー。
【請求項２】
伸縮性ゴムパーツのゴム本体＾を覆い被せている筒状の生地に企業のロゴマークやブランド、キャラクターなどを記したり、可愛らしいプリントされた生地や綺麗な色の生地を使用することを特長とする請求項１に記載の伸び縮みカードホルダー。
(57)【要約】      （修正有）【課題】真皮、表皮、に微弱電磁が流れ肌の内部に溜まったプラス電位を除去するカーボンセラミックス美容ペーパーを提供する。【解決手段】印刷機インクとカーボンセラミックスパウダーとの混合比を１対１の割合で混ぜ合わせたものを、５ｍｍ間隔線の縞模様となるようにペーパーに印刷させ、該ペーパーが持つ微弱電磁波を皮膚の表面で軽く撫で摩擦する。【選択図】図１
0003163208.tif 000002
【実用新案登録請求の範囲】
【請求項１】
カーボンセラミックスが持つ遠赤外線の微弱電磁波をペーパーに印刷保持させ、該ペーパーが持つ微弱電磁波を皮膚の表面で軽く撫で摩擦することにより、真皮、表皮、に微弱電磁が流れ肌の内部に溜まったプラス電位を除去することを特徴としたカーボンセラミックス美容ペーパー。
【考案の詳細な説明】
【技術分野】
【０００１】  本考案は、カーボンセラミックスが持つ遠赤外線の微弱な電磁波（マイナス電位）を、ペーパーにカーボンセラミックスを印刷保持させて、人体の肌を撫でて肌の肌理を整える美容具に関するものである。
【背景技術】
【０００２】  従来、顔の肌を整える美顔具として多々ある商品の中で、フェイスローラーで顔面をコロコロ摩擦することで、血流を良くして、くま、くすみ、むくみを改善するものがある。【０００３】  他にもフェイスパック用マスク等がある、これ等は肌にゲルクリーム等を塗布しマスクで顔面を覆い肌の肌理を整えるものであった。
【考案の開示】
【考案が解決しょうとする課題】
【０００４】  しかし次のような問題があった。
顔面を転がしながら摩擦をするフェイスローラーが金属製であるため、金属アレルギーかぶれを生じることが人に依っては問題視されている、更に、金属の棒状体であるため携帯には不向きであった。
【０００５】  フェイスパック用マスク等は、時間に余裕ある人にしか出来ないと言う不敏さがあった、また、顔面に塗布するクリームでの刺激が強すぎて肌かぶれを生じることがあり、商品のクレームが多々あり思案するところである。
従って、気軽に携帯できて何時でも何所でも気兼ねなく使用ができて、アレルギーかぶれやクリーム刺激等の肌負けをおこさない、カーボンセラミックス美容ペーパーを提供することを目的とする。
【課題を解決するための手段】
【０００６】カーボンセラミックスが持つ遠赤外線の微弱電磁波（マイナス電位）をペーパーに印刷保持させ、該ペーパーが持つマイナス電位で皮膚の表面を軽く撫で摩擦することにより、肌の内部に溜まったプラス電位を除去することを特徴とし、同時に真皮、表皮に微弱電磁が流れることで組織を活性化し、肌本来のハリを取り戻すことができるカーボンセラミックス美容ペーパーである。
【考案の効果】
【０００７】  人間の肌はストレスが溜まると酸化し、プラス電位を多く持ち肌荒れの原因となっている、さらに現代の生活環境にはプラス電位を放出する物が多く存在している、そこでカーボンセラミックスが持つ遠赤外線の微弱電磁波（マイナス電位）をペーパーに印刷保持させ、該ペーパーが持つマイナス電位を皮膚表面で軽く撫で摩擦することにより、肌の内部に溜まったプラス電位を吸着除去することができ、プラス電位除去と同時に真皮、表皮に微弱電磁が流れることで組織を活性化し、肌本来のハリを取り戻すことができる。
【考案を実施するための最良の形態】
【０００８】  次に、本考案に係るカーボンセラミックスパウダーの実施の一例について説明する。
このカーボンセラミックスの素材としては、陶器粘土８０ｇ、酸化チタン５ｇ、チタン酸バリウム８ｇ、銀ゼオライト１２ｇ、活性炭３５ｇ卵白３０ｇを攪拌混合して量的に多い活性炭と練り合わせ、粒状１ｍｍ以下位に成形し炭焼窯の炉内で最高温度８５０℃で焼成した後、機械的粉砕法工程を用いて印刷機インクと混合可能なナノ粒子まで粉砕して、カーボンセラミックスパウダーを生成し、印刷機インクとカーボンセラミックスパウダーとの混合比を１対１の割合で混ぜ合わせ、インクジェットプリンター、印刷機等、その他（シルク印刷等）でペーパーに印刷することにある。【０００９】  例えば、カーボンセラミックスパウダーの印刷形成は、Ａ４ペーパーに５ｍｍ間隔線の縞模様を描いたもので、ペーパーは９枚等分カット、寸法は約９８．６ｍｍ×７８ｍｍ位大にカットしたものである。【００１０】  縞模様を印刷するペーパーの寸法、縞模様の間隔線寸法、また印刷する模様等は決定したものではなく、形状や種類は種々あっても良いことは勿論で、また印刷方法、印刷する素材に於いても限定したものではない。
【図面の簡単な説明】
【００１１】
【図１】  本考案  美容ペーパー裏面図
【図２】  本考案  美容ペーパー別案  裏面図
【図１】
0003163208.tif 000003
【図２】
0003163208.tif 000004
【手続補正書】
【提出日】平成22年7月15日(2010.7.15)
【手続補正１】
【補正対象書類名】実用新案登録請求の範囲
【補正対象項目名】請求項１
【補正方法】変更
【補正の内容】
【請求項１】
印刷機インクとカーボンセラミックスパウダーとの混合比を１対１の割合で混ぜ合わせたものを、５ｍｍ間隔線の縞模様となるようにペーパーに印刷させ、該ペーパーが持つ微弱電磁波を皮膚の表面で軽く撫で摩擦することにより、真皮、表皮、に微弱電磁が流れ肌の内部に溜まったプラス電位を除去することを特徴としたカーボンセラミックス美容ペーパー。
(57)【要約】【課題】  本考案は、寒い季節、室内、室外において冷える足や身体を暖め、快適に過ごせるソーラーモジュール蓄電機能付膝掛を提供する。【解決手段】  膝掛（５）に取り付けた軽量化したソーラーモジュール（１）に太陽光、照明の明かりを当てる事により蓄電装置（２）に蓄電され、蓄電装置（２）と電熱線（４）の繋ぎにスイッチ（３）を入れる事により、二枚の布の間に取り付けた電熱線（４）が暖まり、室内、室外、昼、夜関係なく、自由に使用することを特徴とする。雨、雪の日は専用のビニール（６）を設け膝掛（５）にカバーして使用。使用しない時は、遮断布（９）で覆い収納することを特徴とする。【選択図】図１
0003163209.tif 000002
【実用新案登録請求の範囲】
【請求項１】
膝掛（５）に軽量化したソーラーモジュール（１）を設け、ソーラーモジュール（１）に太陽光、照明の明かりが当たる事により蓄電装置（２）に蓄電され、蓄電装置（２）と電熱線（４）の繋ぎにスイッチ（３）を設け、スイッチ（３）を入れることにより電流が流れ、二枚の布の間に取り付けた電熱線（４）が暖まり、室内、室外、昼、夜関係なく、自由に使用することを特徴とする。雨、雪の日は専用のビニール（６）を設け膝掛（５）にカバーして使用する。完全に使用しない時は、ソーラーモジュール（１）部分に遮断布（９）で覆ってしまう。以上の構成よりなるソーラーモジュール蓄電機能付膝掛。
【請求項２】
膝掛（５）に軽量化したソーラーモジュール（１）を設け、ソーラーモジュール（１）に太陽光、照明の明かりが当たる事により、しばらくすると二枚の布の間に取り付けられた電熱線（４）が暖まることを特徴とする。簡易化してコストを抑えたものであり、室内用、日中用に適する。完全に使用しない時はソーラーモジュール（１）部分に遮断布（９）で覆ってしまう。ソーラーモジュール（１）部分に光を当てない様に、たためば暖まらない。
【考案の詳細な説明】
【技術分野】
【０００１】  本考案は、ソーラーモジュールに太陽光、光による蓄電、膝掛の中に配置された電熱線が暖まる事に関するものである。
【背景技術】
【０００２】  従来、膝掛はいろいろな生地で作られており、電気毛布は、差込プラグをコンセントに差して使っていた。
又、太陽電池モジュールを利用してソーラー発電システムがあり、それを改良化して持ち運びできる太陽電池モジュールを取り付け、蓄電できる懐中電灯がある。
【考案の概要】
【考案が解決しようとする課題】
【０００３】  従来の膝掛は、布をかけるだけであり、多少の保温効果はあっても、足の冷えはおさまらず、身体全体も冷えて暖房効果も少ないものでした。又、電気毛布等は、コンセントの無い所では使えない物でした。
【課題を解決するための手段】
【０００４】  本考案は、電気毛布の様にフリースの様な布と布の間に電熱線を施された膝掛に、持ち運びできるソーラーモジュールを接続したものであり、日中太陽光、照明の明かりで蓄電しておき、必要な時にスイッチを入れれば電流が流れ、電熱線が暖まり、膝掛が暖かくなる仕組みを構成したものである。雨、雪の日は専用のビニールに入れることにより雨水による故障を防ぎ、布に水が染み込むことも防げる。充電しておく事により、明かりの弱い所や夜の外でも使用でき、冷えに困らずに過せる事を特徴とする。【０００５】  又、第２の課題解決手段は、フリースの様な布と布の間に電熱線を施された膝掛に、持ち運びできるソーラーモジュールを取り付け、照明の明かりが当たると、そのまま電流が流れ、電熱線が暖まり、しばらくすれば暖かくなる仕組みを構成したものである。簡易化してコストを抑えたものであり、室内用、あるいは日中用に適する。
【考案の効果】
【０００６】  本考案のソーラーモジュール蓄電付膝掛は、暖房はされていても、勉強や仕事で足が冷える為、他に電気ストーブ置く事による火事の心配もなく、又、暖房設定温度をあげる事もないし、車椅子の移動で寒い季節、出不精になる回数も減り、日中充電しておけば明かりのない観戦、夜の観戦の時にも暖かく楽しんで過ごせる。しかも、コンセントなくても使え、電気代もかからず、節約、節電という利点がある。
【図面の簡単な説明】
【０００７】
【図１】本考案に係るソーラーモジュール蓄電機能付膝掛の実施方法を示した説明図である。（実施例１）
【図２】本考案に係る簡易ソーラーモジュール蓄電機能付膝掛の実施方法を示した説明図である。（実施例２）
【考案を実施するための形態】
【実施例１】
【０００８】  ソーラーモジュール（１）に太陽光、照明の明かりがあたる事により、蓄電装置（２）に蓄電し、必要な時にスイッチ（３）を入れる事により、フリースの様な布と布の間の電熱線（４）に電流が流れ、膝掛（５）が暖まる。雨、雪の日はビニール（６）を被せファスナー（７）をする。使用しない時は、オープンファスナー（８）付き遮断布（９）を覆う。
【実施例２】
【０００９】  ソーラーモジュール（１）に太陽光、照明の明かりがあたる事により、フリースの様な布と布の間の電熱線（４）に電流が流れ、しばらくすれば、膝掛（５）が暖まる。主に明るい室内用に適する。
【符号の説明】
【００１０】  １    ソーラーモジュール
２    蓄電装置
３    スイッチ
４    電熱線
５    膝掛
６    ビニール
７    ファスナー
８    オープンファスナー
９    遮断布
【図１】
0003163209.tif 000003
【図２】
0003163209.tif 000004
【手続補正書】
【提出日】平成22年7月15日(2010.7.15)
【手続補正１】
【補正対象書類名】実用新案登録請求の範囲
【補正対象項目名】全文
【補正方法】変更
【補正の内容】
【実用新案登録請求の範囲】
【請求項１】
膝掛（５）にソーラーモジュール（１）を設け、ソーラーモジュール（１）に太陽光、照明の明かりが当たる事により、しばらくすると二枚の布の間に取り付けられた電熱線（４）が暖まり、ソーラーモジュール（１）部分を覆う事ができる遮断布（９）を有することを特徴とする、ソーラーモジュール膝掛。
【請求項２】
膝掛（５）のソーラーモジュール（１）に太陽光、照明の明かりが当たる事により蓄電装置（２）に蓄電され、蓄電装置（２）と電熱線（４）の繋ぎにスイッチ（３）を設け、スイッチ（３）をいれることにより電流が流れ、二枚の布の間に取り付けた電熱線（４）が暖まり、室内、室外、昼、夜関係なく自由に使用することができ、膝掛（５）をカバーすることができるビニール（６）を有する事を特徴とする請求項１記載のソーラーモジュール膝掛。
(57)【要約】      （修正有）【課題】球根を上向きに等間隔に置き、固定させ、一定の深さで効率よく並べて植付けることができる球根植付け機を提供する。【解決手段】砕土機の後部にチェーンボックスを垂直に取り付け、スプリングのついた丁番の芯棒カバーにストッパーを溶接し、丁番羽根に球根乗せ部を、チェーンに対し９０度になるように取り付け、可変速モーターで調整しながら降下させる。【選択図】図１
0003163204.tif 000002
【実用新案登録請求の範囲】
【請求項１】
砕土機の上部に球根ホッパーを取付け、その後部に垂直にチェーンに球根乗せ部Ａ、を取付けた花き球根植付機
【請求項２】
球根乗せ部Ａは、チェーンの丁番の羽根の芯棒カバー部にストッパーＣ、を取り付け垂直に降下させる形態
【請求項３】
チェーンボックスの底部は土に溝を掘り、その溝に球根を上向きに等間隔に植付ける構造
【請求項４】
砕土機を逆回転耕うんすることによって、サイドカバーで地均しされ、植付け球根の深さが均一になる構造
【請求項５】
砕土機に取り付けたチェーンボックスで４〜６条作条し、なかのチェーンをを可変速モーターにより調節しながら、植付け能率を高める構造
【考案の詳細な説明】
【考案の概要】
花き球根を正確に効率よく植付ける機械
【考案が解決しようとする課題】  ゆりやグラジオラス等の花き球根の営利栽培においては、球根を上向きに正確に、等間隔にしかも均一に植える必要がある。
植え付けを短期間に、一斉に植付けることにより、以降の生育管理や収穫にも影響する。
従来、人力で植え付けに時間を要していた作業の効率化が課題であった。
【課題を解決するための手段】  花き球根を正確に効率よく植付ける機械の開発が求められていた。
【図１】
0003163204.tif 000003
【図２】
0003163204.tif 000004
【図３】
0003163204.tif 000005
【図４】
0003163204.tif 000006
【図５】
0003163204.tif 000007
【手続補正書】
【提出日】平成22年7月14日(2010.7.14)
【手続補正１】
【補正対象書類名】実用新案登録請求の範囲
【補正対象項目名】全文
【補正方法】変更
【補正の内容】
【実用新案登録請求の範囲】
【請求項１】
砕土機の後部にチェーンボックスを垂直に取り付け、スプリングのついた丁番の芯棒カバーにストッパーを溶接し、丁番羽根に球根乗せ部を、チェーンに対し９０度になるように取り付け、可変速モーターで調整しながら降下させることを可能とし、チェーンボックスの底部で作条した溝に球根を上向きに等間隔に置き、固定させ、一定の深さで効率よく並べて植付ける球根植付け機
【手続補正２】
【補正対象書類名】明細書
【補正対象項目名】全文
【補正方法】変更
【補正の内容】
【考案の詳細な説明】
【考案の概要】
花き球根を上向きに正確に効率よく並べていくためにトラクター後部の砕上機上に球根ホッパーを取り付け、その後部にチェーンボックスを４〜６個垂直に取り付ける。
チェーンに球根乗せ部を取り付ける。球根はチェーンで垂直に降下し、チェーンボックスの下部により作条された溝の上に達する。着土した時点で丁番のスプリングにより土との接地圧と前進走行により、球根を球根乗せ部から滑らかに抜き取り、一定の間隔で植付けられる。
【考案が解決しようとする課題】  ゆりやグラジオラス等の花き球根の営利栽培においては、球根を上向きに正確に、等間隔にしかも均一に効率よく植える必要がある。
植え付けを短期間に、一斉に植付けることにより、以降の生育管理や収穫にも影響する。
従来、人力で植え付けに時間を要しており、作業の効率化が課題であった。
【課題を解決するための手段】  花き球根を正確に効率よく植付ける機械の開発が求められていた。
トラクター後部に取付けた砕土機上に球根積載ホッパーを取付け、その後部にチェーンボックスを垂直に取付ける。トラクター走行速度に合わせ、球根乗せ部が降下する。チェーンボックスの下部で掘られた溝に球根が上向きに置かれ、土が被さり、等間隔に均一に植付けることが出来る。
【図面の簡単な説明】
【図１】は、花き球根植付け機の立面図
【図２】は、チェーン４に取り付ける丁番の立面図
【図３】は、乗せ部Ａを取り付ける丁番羽根の平面図
【図４】は、丁番の芯棒とスプリングの平面図
【図５】は、図３の丁番羽根に取り付ける乗せ部Ａの平面図
(57)【要約】      （修正有）【課題】本を見ながら字を書いたり、作業をするときにスムーズに動作が取れるようにするために本のページを開いたまま留める道具を提供する。【解決手段】針金を複数の決めた位置で連続して屈曲させて長い長方形２を形作り、そして、同様の内部に入る長方形を形作った針金を二つ折りにし、そして、二つ折りにした長方形３の曲げた側を長い長方形の針金の内側の両端に溶接で接合する。さらに、長い長方形の針金の中心の内側には内部に入る短い長方形を形作った針金を溶接し接合した部品とにより本のページを開いたまま留める道具１を構成する。【選択図】図１
0003163233.tif 000002
【実用新案登録請求の範囲】
【請求項１】
本考案は、針金を複数の決めた位置で連続して屈曲させて長い長方形を形作り、そして、同様の内部に入る長方形を形作った針金を二つ折りにし、その部分の片方を長い長方形の針金の内側の両端に溶接で接合し、そして、長い長方形の針金の中心の内側には内部に入る短い長方形を形作った針金を溶接し接合した、部品と部品を接合して出来上がる構造である本のページを開いたまま留める道具。
【考案の詳細な説明】
【技術分野】
【０００１】
本考案は、本のページを開いたまま留める道具である。
【背景技術】
【０００２】
本のページを記憶させるのに、しおりや譜面台が広く知られている。そして、文献には、書籍のひらき保持具などがある。
【先行技術文献】
【特許文献】
【０００３】
【特許文献１】特開平9-20091号公報
【考案の概要】
【考案が解決しようとする課題】
【０００４】
従来あったしおりはページを記憶させるだけで譜面台は地面から目の見える位置にくるようになっているだけで、机の上や外出先では使いにくくなっていた。そして、文献では書籍のひらき保持具などがあるが機能はそれほど変わらないが軽量化には問題がある。
【課題を解決するための手段】
【０００５】
本考案は、針金を複数の決めた位置で連続して屈曲させて長い長方形を形作り、そして、同様の内部に入る長方形を形作った針金を二つ折りにし、その部分の片方を長い長方形の針金の内側の両端に溶接で接合し、長い長方形の針金の中心の内側には小さくて短い長方形を形作った針金を溶接し接合した、部品と部品を接合して出来上がる構造である。
【考案の効果】
【０００６】
本考案に係るページを開いたまま留める道具は針金を屈曲させて部品を溶接で接合して製造することで軽量化でき外出先や机の上での使用が出来るようになる。
【図面の簡単な説明】
【０００７】
【図１】図１は本考案に係る本のページを開いたまま留める道具の立体図上面である。
【考案を実施するための形態】
【０００８】
本考案を実施する形態について説明すれば１．本のページを開いたまま留める道具の本体のベースである２．針金を長方形にした物の内側の両端に３．針金を内部に入る長方形にして二つ折にした物を溶接で接合し４．ページを留める部分となる。そして、２．針金を長い長方形にした物の内側の中心に５．針金を内部に入る短い長方形にした物を溶接で接合したもので、２．針金を長い長方形にした物と４．ページを留める部分の間に本を差し込んで使用できるようになる。
【符号の説明】
【０００９】
１・・・本のページを開いたまま留める道具の本体
２・・・針金を長い長方形にした物
３・・・針金を内部に入る長方形にして二つ折りにした物
４・・・ページを止める部分
５・・・針金を内部に入る短い長方形にした物  
【図１】
0003163233.tif 000003
【手続補正書】
【提出日】平成22年8月6日(2010.8.6)
【手続補正１】
【補正対象書類名】実用新案登録請求の範囲
【補正対象項目名】全文
【補正方法】変更
【補正の内容】
【実用新案登録請求の範囲】
【請求項１】
針金を複数の決めた位置で連続して屈曲させて長い長方形を形作り、そして、同様の内部に入る長方形を形作った針金を二つ折りにし、そして、二つ折りにした長方形の曲げた側を長い長方形の針金の内側の両端に溶接で接合し、そして、長い長方形の針金の中心の内側には内部に入る短い長方形を形作った針金を溶接し接合した、部品と部品を接合して出来上がる構造である本のページを開いたまま留める道具。
(57)【要約】      （修正有）【課題】顔などの皮脂をあぶらとり紙で拭き取る際に，あぶらとり紙の裏面に皮脂が浸透することを阻止し，皮脂によって指が汚れるのを防ぐあぶらとり紙を提供する。【解決手段】薄手の紙からなるあぶらとり紙の片面に、この紙と同寸法の金箔、アルミニウム箔、錫箔のいずれかよりなる金属箔を一体に貼り合わせる。【選択図】図３
0003163238.tif 000002
【実用新案登録請求の範囲】
【請求項１】
あぶらとり紙の片面に金箔、アルミニウム箔、錫箔のうちのいずれかの金属箔を貼り合わせて，使用後に指が皮脂で汚れないようにすることを特徴とするあぶらとり紙。
【請求項２】
あぶらとり紙の片面にこれと同寸法の金属箔を蒸着により貼り合わせた請求項１記載のあぶらとり紙。
【考案の詳細な説明】
【技術分野】
【０００１】本考案は，あぶらとり紙の片面に金箔などの金属箔を貼り合わせて，使用後の指が皮脂で汚れることを防ぐことを可能にしたあぶらとり紙に関するものである。
【背景技術】
【０００２】あぶらとり紙は化粧用具として認知されおり，化粧用キットの一つとして女性に広く所持されている。【０００３】このあぶらとり紙は，主にその目的を化粧直しの際に顔面の汚れや皮脂を取り除くことに用いられている。【０００４】あぶらとり紙で皮脂や汚れを拭き取ると，それがあぶらとり紙の裏面に浸透して，指先が汚れるので，その都度，何らかの手段で洗ったり，拭き取ったりしている。【０００５】従って，ほとんどの消費者は，汚れが指に付着しないように一度に複数枚を使用するか，あるいは有効面を二つ折りにして用いており，あぶらとり紙の無駄な消費をしている。【０００６】このようなあぶらとり紙の材質は，皮脂のふき取りという目的のために薄い紙が使われている。
【考案の概要】
【考案が解決しようとする課題】
【０００７】本考案は，あぶらとり紙の使用後に指が皮脂で汚れないようにすること，且つ使用後の手の洗浄を省略できること，使用の際のあぶらとり紙の消費量を最小限に抑えること，あぶらとり紙の裏面に金箔などの金属箔を貼り合わせることで強度が増し，携行時の型くずれによる劣化を防ぐことを目的とする。
【課題を解決するための手段】
【０００８】本考案は，あぶらとり紙の片面に同寸法の金箔などの金属箔を貼り合わせたものである。貼り合わせの方法としては，一般に知られているアルミニウム箔の蒸着技術，転写，熱や圧力による一体化を用いる。この方法によって，あぶらとり紙の片面に貼り合わされる箔の厚みは約０．０２ミクロンメートル程度であるから，あぶらとり紙に求められるしなやかを損なわず使用することが出来る。
なお，あぶらとり紙の材質としては，薄手の洋紙である箔用原紙が適している。
【考案の効果】
【０００９】本考案によって，あぶらとり紙の使用時に皮脂が裏面に浸透しなくなり，指の汚れを防ぐことが出来る。それにより使用後の手の洗浄が不要になる。【００１０】さらに，一度に複数枚を使用しなくても指が皮脂で汚れないため，一度に使うあぶらとり紙の消費量が軽減される。加えて使用量が軽減するので廃棄物も減少する。
【考案を実施するための形態】
【００１１】あぶらとり紙の主たる使用目的である化粧直しに適した形状にすることと，皮脂ふき取りの使用面と裏面とが一目で判別できるようにすること等を考慮した最小限の材料からなるあぶらとり紙にする。あぶらとり紙の材質は，洋紙である薄用原紙でその坪量（抄紙量）を２０ｇ／ｍ２程度とする。また，その形状は，直径６〜１０ｃｍ前後の円形や６〜１０ｃｍを一辺とした正方形，若しくは６×１０ｃｍの長方形に裁断したものにする。このあぶらとり紙の片面には，金箔やアルミニウム箔，錫箔などの金属箔を蒸着によって貼り合わせた。
【実施例】
【００１２】図１は，本考案のあぶらとり紙の使用面を示す図ある。紙１の材質には前記の坪量（抄紙量）２０ｇ／ｍ２程度の薄用原紙が適している。図２は，あぶらとり紙の裏面を示す図である。２は金箔などからなる金属箔であり，あぶらとり紙に一体に貼り合わされている状態を示したものである。貼り合わせ面を拡大したものが図３である。３はあぶらとり紙の使用面（薄用原紙）の断面であり，４はあぶらとり紙の裏面で，この例では金属箔として貼り合わせた金箔の断面である。５は紙３と箔４の貼合わせ面である。
【産業上の利用可能性】
【００１３】あぶらとり紙の裏面に金属箔を貼り合わせることによって，あぶらとり紙の使用時において表面（使用面）に付着した汚れが裏面（指が接する面）に染み込まず，指が皮脂で汚れることを防止できる。これにより使用後の手の洗浄が不要となり，随時，場所を選ばずに使用することができる。このように本考案では従前のあぶらとり紙よりも利便性を高めることができ，さらに使用後の廃棄物量を軽減する効果も期待できる。
【図面の簡単な説明】
【００１４】
【図１】あぶらとり紙の使用面を示す図
【図２】あぶらとり紙の裏面を示す図
【図３】貼り合わせ面を拡大して示した図
【符号の説明】
【００１５】１        薄用原紙
２        金属箔
３        薄用原紙の断面
４        金属箔の断面
５        紙と箔の貼合わせ面
【図１】
0003163238.tif 000003
【図２】
0003163238.tif 000004
【図３】
0003163238.tif 000005